(57)【要約】      （修正有）【課題】水生生物の飼育装置において、飼育装置の飼育空間と浄化空間を分離して確立しており、そのため排泄物や餌の食べ残し等の有機物を取り除く基材が必須であった。この手段では浄化効率が悪く、換水を有して飼育方法を複雑化してしまっていた。有機物の十分な浄化効果を発揮することのできる飼育装置及び方法を提供する。【解決手段】好気環境を形成する飼育槽２と水塊を形成する対流槽３と飼育槽２と対流槽３間において懸濁液を循環させる循環経路形成部材４とを備え、好気環境中の細片化する有機物が嫌気環境と好気環境を行き来できる環境を有し、その相互作用を用いた浄化方法及び飼育装置。【選択図】図１
2018201462.tif 000002
【特許請求の範囲】
【請求項１】
好気環境を形成する飼育槽と、水塊を形成する対流槽と、前記飼育槽と前記対流槽間において懸濁液を循環させる循環経路形成部材と、を備える飼育装置。
【請求項２】
前記飼育装置に水塊の形成を増す循環槽と、を備える請求項１記載の飼育装置。
【請求項３】
前記水塊に光を照射する照明器具と、を備える請求項１記載の飼育装置。
【請求項４】
前記飼育槽は、水面下に位置する下噴出部、及び、前記下噴出部と異なる形状の水面上に位置する上噴出部を有し、微細泡沫を生成するノズルと、を備える請求項１記載の飼育装置。
【請求項５】
飼育槽内に好気環境を形成し、対流槽内に水塊を形成し、前記飼育槽と、前記対流槽間において循環経路形成部材を有して懸濁液を浄化させる飼育方法。
【請求項６】
下噴流を形成する下噴出口と、前記下噴出口と噴出方向が異なる上噴流を生じさせる上噴出口と、を備えたノズル。
【発明の詳細な説明】
【技術分野】
【０００１】
本発明は、飼育装置及び飼育方法に関する。より具体的には流動還元濾過を用いた水生生物の飼育装置に好適なものである。
【背景技術】
【０００２】
従来水生生物の飼育装置として浄化作用を生じるのに砂或いは水草、浄化槽に投入する多孔質材などの基材を用いた技術が特許文献１乃至３に開示されている。また、下記非特許文献１には、富栄養化による環境汚染に関する記載が開示されている。
【先行技術文献】
【特許文献】
【０００３】
【特許文献１】特開２００９−６０８７２号公報
【特許文献２】特開２００８−９３６２４号公報
【特許文献３】特開２０１４−２３０５３６号公報
【非特許文献】
【０００４】
【非特許文献１】ｈｔｔｐ：／／ｗｗｗ．ｍａｆｆ．ｇｏ．ｊｐ／ｊ／ｎｏｕｓｉｎ／ｋａｎｔａｉ／ｔｅｋｉｏｕ／ａｏｋｏ_ｓａｎｋｏｕ．ｈｔｍｌ
【発明の概要】
【発明が解決しようとする課題】
【０００５】
ところで、有機物を含有する富栄養の懸濁液に浄化が生じる際、腐食作用を伴うことが知られている。有機物を分解或いは還元するのは主に微生物（細菌類）であって、好気環境において活動する微生物と嫌気環境において活動する微生物が必要である。一方、好気環境だけでは主に菌（カビ菌等）などが活動するにすぎず、嫌気環境における嫌気的代謝作用が機能せず、有機物は腐敗作用の変質のみ受け、結果的に水質を悪化させてしまうといった課題がある。上記特許文献１及び２、非特許文献１に開示されている技術は好気環境に注目するのみであり、上記特許文献３に記載の技術も窒素を大気放出しようとする技術に過ぎず、有機物の十分な浄化効果については課題が残る。
【０００６】
そこで本発明は、上記課題に鑑み、飼育装置内で有機物の十分な浄化効果を発揮することのできる飼育装置及び飼育方法を提供することを目的とする。
【課題を解決するための手段】
【０００７】
本発明者は上記課題について鋭意検討を行ったところ、飼育装置という閉鎖的空間で餌の投与や水生生物の排泄物等の有機物により、富栄養化し続け生じる腐敗作用に着目し、浄化作用を（以下「流動還元濾過」ともいう。）を促すことで、良好に水生生物を飼育することができることを発見し、本発明を完成させるに至った。
【０００８】
すなわち、本発明の一観点に係る飼育装置は、好気環境を形成する飼育槽と、水塊を形成する対流槽と、前記飼育槽と前記対流槽間において懸濁液を循環させる循環経路形成部材と、を備えるものである。
【０００９】
また、本発明の他の一観点に係る飼育方法は、飼育槽内に好気環境を形成し、対流槽内に水塊を形成し、前記飼育槽と、前記対流槽間において循環経路形成部材を有して懸濁液を浄化させる飼育方法である。
【発明の効果】
【００１０】
そこで本発明は、飼育装置内で有機物の十分な浄化効果を発揮することのできる飼育装置及び飼育方法となる。
【図面の簡単な説明】
【００１１】
【図１】実施形態に係る飼育装置の概念図である。
【図２】実施形態に係る飼育装置の正面図である。
【図３】実施形態に係る飼育装置の右側面（取水配管側）から見た断面図である。
【図４】実施形態に係る飼育装置の左側面（排水配管側）から見た断面図である。
【図５】循環経路形成部材を備えた時の同飼育装置における水流方向の全体構図である。
【図６】実施形態に係る飼育装置における水流方向の略図である。
【図７】実施形態に係る飼育置における湧昇流の略図である。
【図８】実施形態に係る飼育装置における背面側水流の略図である。
【図９】実施形態に係る飼育装置における墳流方向の略図である。
【図１０】ノズルの一例を示す構図である。
【図１１】ノズルの一例を示す構図である。
【図１２】ノズルの一例を示す構図である。
【図１３】ノズルの一例を示す構図である。
【図１４】ノズルの一例を示す構図である。
【図１５】浄化作用における有機物の還元を示す略図である。
【図１６】浄化作用における有機物の還元を示す構図である。
【図１７】実施形態に係る飼育装置の対流層における背面対流層で使用した時の構図である。
【図１８】有機物の還元実験における１日目の写真である。
【図１９】有機物の還元実験における２日目の写真である。
【図２０】有機物の還元実験における３日目の写真である。
【図２１】有機物の還元実験における４日目の写真である。
【発明を実施するための形態】
【００１２】
以下、鋭意研究し得られた知見に基づき、本発明の実施形態について図面を用いて詳細に説明する。ただし、本発明は多くの異なる形態による実施が可能であり、以下に示す実施形態、実施例に記載された例示にのみ限定されるわけではない。
【００１３】
（飼育装置１：分離型）
図１は、本発明の実施形態に係る飼育装置（以下「本装置」という。）１の概念図である。本図で示すように本装置１は、好気環境を形成する飼育槽２と、水塊を形成する対流槽３と、飼育槽２と対流槽３との間において懸濁液を循環させる循環経路形成部材４と、を備える。
【００１４】
本装置１において、飼育槽は、メダカ、金魚、コイ等の魚類、カラシン、スズキ、ナマズ等の熱帯魚、カメ等の水生爬虫類、アサリ、シジミ等の貝類、カニやエビ等の甲殻類等の飼育対象となる水生生物を飼育するための領域を確保するための水槽である。飼育槽の構造としては、液体を保持する程度の堅さを備えた部材であることが好ましく、観賞のためであれば少なくとも一部が光透過性を備えているガラスや透明な樹脂（アクリル樹脂等）等の部材であることが好ましい。大きさなどについては適宜調整可能である。
【００１５】
また本装置１において、対流槽３は、飼育槽とは区別される領域を形成する水槽であり、上記の通り水塊を内部で形成することができる程度の大きさを備えたものである。対流槽３の構造としては、液体を保持する程度の剛性を備えた部材であることが好ましく、観賞のためであれば少なくとも一部が光透過性を備えているガラスや透明な樹脂（アクリル樹脂等）等の部材であることが好ましい。大きさなどについても適宜調整可能である。なお、後述の記載からも明らかであるが、飼育槽と対流槽は一つの大きな水槽を遮蔽板等で区切ることで形成することとしてもよい。
【００１６】
また本装置１において、循環経路形成部材４は、上記の通り、飼育槽と対流槽を区切るとともに、これらの間において懸濁液を循環させるための経路を形成することができるものである。これについてはこの機能を有する限りにおいて限定されるわけではないが、例えば配管と送水するためのポンプの組合せであってもよい。
【００１７】
飼育槽２と対流槽３はまず水生生物を飼育することのできる液体（水（淡水・海水・汽水等）を含む）で満たされるが、この液体は使用によって水生生物を飼育すると懸濁液となっている。なお懸濁液とは、余剰の餌、排泄物、亡骸等の有機物及びこの分解物を含有する液体のことをいう。この懸濁液は、言い換えると脂質と糖質と蛋白質等の有機化合物を含有する液体となっている。すなわち飼育槽２内と対流槽３内は懸濁液によって満たされる。
【００１８】
本装置１は、懸濁液中の所定の領域に好気性の環境を形成する一方、他の所定の領域に嫌気性の淀み（以下「水塊」という。）を形成する。この結果、懸濁液中に浮遊している有機物は、水流によって水塊内に侵入し停滞及び沈殿し、蓄積される。
【００１９】
一方、水塊内では、沈殿物の分解作用によって、酸素があるうちは好気性の微生物が活性化するものの、酸素供給が乏しいため結果的に嫌気性の環境（貧酸素環境を含む。）が形成される。つまり、嫌気性の微生物が活発化する。水塊の境界線は、好気環境と常に接触しており、嫌気環境と好気環境は相互作用が生じるといった効果がある。この相互作用によって、好気環境によって生ずる腐敗作用の変質を抑え、有機物を浄化（還元）させるといった効果がある。
【００２０】
ところで、本装置１において用いる微生物は大気中の常在菌であり、本装置１に充填される液体と大気が接触することで液体内に取り込まれ、各自繁殖に適した場所を見つけて増殖してくれる。また、嫌気性の微生物も実際のところ多く大気中に存在しており、上記と同様本装置１に充填される液体と大気が接触することで液体内に取り込まれ、それらの微生物群を用いて流動還元濾過を形成することができる。例えば、本装置で水生生物を飼育した場合、有機物の還元作用を一観点において、容易に浄化できるといった効果がある。この更なる詳細については飼育方法のところで改めて詳述する。
【００２１】
ここで、本装置１のより具体的な構成及びその機能について説明する。図２は本装置１の正面図であり、図３は本装置を右側面（取水配管側）から見た場合の断面図であり、図４は本装置１を左側面（排水配管側）から見た場合の断面図である。これらの図で示す装置は、上記図１の概念図で示す概念を基準にして溢水型排水式にした実施形態である。
【００２２】
本装置１において、飼育槽２は、底面が矩形であって、底面の辺に沿って壁面を備えた中空柱状のものであって、懸濁液を収容することができるものである。また飼育槽２は、中に背面遮蔽板４１と、ノズル４２、飼育槽側ポンプ４３、が配置されており、排水口４４及び取水口４５が形成され、循環経路形成部材４を介して懸濁が循環さる。以下に飼育槽２の構成について具体的に説明する。
【００２３】
本装置１では、飼育槽２内に、循環経路形成部材４としてのノズル４１と、背面遮蔽板４１を備えている。また、飼育槽２は、水生生物を飼育するための飼育領域２１と、背面遮蔽板４１によって区切られる他の背面領域２２に区切られる。飼育槽２の形状は水生生物を好適に飼育することができる限りにおいて限定されず、例えば底面が円形状であってもよく、三角形や六角形等他の多角形であってもよい。更には、壁面が平面でなく曲面であってもよい。
【００２４】
また、背面遮蔽板４１には水面排水口４１１が備えられており、上記ノズル４１を挿入して保持するための孔４１３が形成されている。また背面遮蔽板４１は、飼育槽１の底面との間に間隙が設けられ、底面排水口４１２として機能するよう飼育槽内において固定されている。このように構成することで、懸濁液中に最良の好気環境を形成することができる。なお、上述の図１における飼育槽２は、図２の飼育槽と同じである。なお、本図の例では、底面排水口４１２を飼育槽２の底面との間の間隙によって形成しているが、例えば上記水面排水口４１１と同様、背面遮蔽板４１に横長の孔としての底面排水口を設ける構成としてもよい。このようにすることで、底面との距離を確実に確保することが可能となる。そして、水面排水口も、孔ではなく、背面遮蔽板４１の上辺が水面に出ない程度の位置に背面遮蔽板４１を設置させてもよい。
【００２５】
また、本装置１において、背面遮蔽板４１と飼育槽の壁面との間は、７０ｍｍ以上１００ｍｍ以下となるよう配置されていることが好ましい。７０ｍｍ以上とすることで、本図で示すように、この間に水流ポンプの設置を可能とし好気環境として使用時の対流の形成が出来る。一方で、１００ｍｍ以下にすることで、好気環境の形成が最小限の動力で可能になるといった効果がある。
【００２６】
上述しているように背面遮蔽板４１において、底面排水口４１２の間隙は、１ｍｍ以上３ｃｍ以下であることが好ましく、より好ましくは１ｍｍ以上５ｍｍ以下である。１ｍｍ以上とすることで、吸水の圧力を上げてより効果的に湧昇流ｗ５を形成出来るといった効果があり、３ｃｍ以下にすることで、水生生物が誤って吸水されてしまうのを防ぐといった効果があり、５ｍｍ以下とすることでより小型の水生生物が誤って給水されてしまうのを防ぐ効果がより顕著となる。
【００２７】
また、背面遮蔽板４１において、水面排水口４１１は、背面遮蔽板４１の底面排水口４１２から吸引された水の一部を飼育領域に戻すために用いられるものであり、水面排水口４１１の下端が水面より低い位置に設定されていることが好ましく、例えば１ｍｍ以上水面から低い位置に設定されていることが好ましい。なおこの場合において、水面排水口４１１において、飼育領域２１と背面領域２２の類面は接続されていることが好ましい。これにより、飼育領域２１と背面領域２２の水面を接続させ、水面上の波を伝えることが可能となる。
【００２８】
また、この水面排水口４１１の孔の大きさは、水槽の大きさ等によって適宜調整可能であり、限定されず、飼育槽２の横の長さに相対して出来るだけ長くすることが好ましいが、例えば横５０ｍｍ以上３００ｍｍであることが好ましく、より好ましくは１００ｍｍ以上２００ｍｍ以下である。また、縦の長さとしては、１０ｍｍ以上２０ｍｍ以下であることが好ましい。縦の長さとしては、１０ｍｍ以上にすることで背面領域２２の波を飼育槽１に伝えて溶存酸素量を増すといった効果があり、２０ｍｍ以下とすることで、底面排水口４１２の吸引力を保ち、吸水された懸濁液が、背面領域２２の底面から飼育槽２の水面へ循環する作用を効果的に行うことができるといった効果がある。以上のような構成で、水面の波の伝達をより多く伝えることで好気環境を増すことができる。
【００２９】
更に、水面排水口４１１の形状は、上記の例に限定されるわけではなく、生物混入防止のため、例えばメッシュ状、網目状の素材を用いることも好ましい。このようにすることで、波をより繊細に飼育槽１に伝えることができ、さらに水生生物が誤って背面対流層２に侵入することを防ぐことができるといった効果がある。また、水面排水口４１１の形状はスリット状の形状でもよい。
【００３０】
また、本装置１では、排水配管４６を飼育槽２の背面領域２２にある排水口４４に接続して設置しており、飼育槽２内の懸濁液は背面遮蔽板４１の底面排水口４１２を通り、背面領域２２に入り、排水配管４６によって対流槽３側へ排水される。このように背面遮蔽板４１は、飼育槽２の懸濁液を水面側と底面側から排水できる。この場合において、排水配管４６の排水吸入口４６１は、満水時において、下端が水面以下となる又は上端が水面より高くなるよう背面遮蔽板４１の上部に設置し、水位の上昇を抑えつつ懸濁液を排水する溢水型排水式であることが好ましい。このようにすることで、飼育槽２の水位を常時一定に保つことができ、ノズルによる効果も一定に維持できるといった効果がある。また、排水配管４６によって排水時に空気を巻き込みながら排出させることで、対流槽３の懸濁液中に泡沫を拡散させることができる。
【００３１】
すなわち、上記の記載から明らかなように、循環経路形成部材４は、上記ノズル４２及び飼育槽側ポンプ４３の他、排水配管４６を備えている。また後述するように、循環経路形成部材４には、対流槽３から水を取水するための取水配管４７、この取水管に水を送るための対流槽側ポンプ４８を備えていることが好ましい。
【００３２】
また、本装置１の対流槽３は、上記飼育槽２と同様の構造のものを採用することができる。ただし、大きさとしては特に制限されない。
【００３３】
また本装置１の対流槽３では、上述の排水配管４６、取水配管４７及び対流槽側ポンプ４８が配置されており、飼育槽２からの懸濁液を受け付け、水塊を形成して所望の効果を発揮しつつ、懸濁液を飼育槽２に戻すことができる。
【００３４】
本装置１において、排水配管４６の排水放出口４６２は、対流槽３の懸濁液に浸かるよう設置しておくことが好ましい。排水放出口４６２を懸濁液に浸けることで、排水の飛沫によって器材等が汚れてしまうのを抑える効果があるとともに、懸濁液中の溶存酸素量を増すことができる。
【００３５】
また、限定される訳ではないが、排水配管４６の排水放出口４６２の設置位置を、図４で示すように、隅（角部）又は壁面近傍に設置することが好ましい。このようにすることで、対流槽３内に形成される水流に水塊を形成することができるようになる。なお、水塊を形成する限りにおいて中央部分であることも可能ではある。
【００３６】
また、限定されるわけではないが、排水配管４６の排水放出口の設置高さは、底面近傍で底面から１ｃｍ以上２０ｃｍ以下離した位置にあることが好ましい。この範囲とすることで排水の能力を維持することができる。
【００３７】
また、対流槽３には、取水配管４７及び対流槽側ポンプ４８が配置されており、対流槽側ポンプ４８によって懸濁液は取水され、取水配管４７に送水され、飼育槽２に送られる。また限定される訳では無いが、取水配管４７からノズル４２までの設置位置としては、排水吸入口４６１と同じ高さで設置することが好ましい。同じ高さとすることで、ノズルの一部を水面から露出させて設置することができると言った効果がある。
【００３８】
また対流槽３において、対流槽側ポンプ４８は、排水配管４６とできる限り離れた位置に配置しておくことが好ましい。なお対流槽側ポンプ４８の取水口は対流槽下部に配置されていることが好ましいが、底面近傍に集まる懸濁液中の有機物を吸い込まない程度に底面から離しておくことが好ましい。
【００３９】
上記の構成によって、対流槽３内では、排水配管３の排水放出口４６１から対流槽側ポンプ４８の間の底面近傍、より具体的には、排水配管４６の排水排出口４６１と対流槽側ポンプ４８を結ぶ直線から少し外れた底面近傍の位置に水塊が形成される。本実施形態の対流槽３では、これらによって形成される水の流れと懸濁液のみで水塊を形成することができる。
【００４０】
また、対流槽３では、床砂を用いて水塊を形成してもよい。床砂（泥粒・珊瑚砂・麦飯石・大砂利等）を用いることで水質（ｐＨ）の調整等が可能になるといった効果がある。このように床砂の部分に水塊が形成されることで、有機物等の沈殿物で目詰まりが生じる為効果が増す。また、床砂を定期的に洗浄及び交換等を行わずとも浄化効果を維持できるといった効果がある。
【００４１】
上述の水塊には、細分化された有機物が集まり、バイオフィルムを形成し、嫌気性細菌及び通性嫌気性細菌の活動を可能にし、酸素の供給より消費が増すため嫌気性細菌及び通性嫌気性細菌が活動できる貧酸素の（酸素が希薄な領域）の水塊となる。この水塊は、ある程度定まった位置に形成されている一方で、好気環境の懸濁液と常に接触しているため、通性嫌気性細菌を好気環境に拡散させることができる。つまり、通性嫌気性細菌が好気環境中の有機物を分解することで、水質の悪化を抑制するといった効果がある。具体的には、菌類が付着し、有機物を溶かして普遍的に嫌気環境が形成され有害物質を拡散させる変質的腐敗を抑えることができる。
【００４２】
ところで、本装置１において、対流槽３には、水塊に光を照射する照明器具３１を備えていることが好ましい。水塊に光を照射することにより、硫化水素を還元し水質をより安定できるといった効果がある。また、水生生物の飼育個体数を限定されずに飼育できるといった効果がある。
【００４３】
さらに、有機物に硫黄（＝Ｓ）は必ず含まれており硫黄化合物を用いる硫酸還元細菌等も大気中に存在していることが知られている。水塊内で嫌気的分解によって生成される硫化水素は水生生物に有害であり、溶解性が高く少量であれは懸濁液に紛れて蒸発するが、光合成細菌を有することで硫黄（＝Ｓ）を高効率で還元するといった効果がある。
【００４４】
つまり、本装置において照明器具３１の設置としては、上述しているように対流槽３の正面から見て、手前から奥に向う中心部分に上述している水塊が形成されるので、その上部近傍に設置する事が好ましい。（対流槽のみに照射させる構成とするのが好ましい。）
【００４５】
また、本装置では、６００ｎｍ以上８００ｎｍ未満の波長を含む光が好ましいが、この波長範囲では人間が感じる赤色になる。このように、対流槽３のみに照射させ、飼育槽２には別途別の波長範囲、例えば白色の照明器具を設ける事で、飼育槽２には自然な色味を持たせる事が可能になる。
【００４６】
また、照明器具としては、限定される訳ではないが、例えばＬＥＤ電球、白熱電球の少なくとも何れかを用いる事が好ましい。ＬＥＤ電球の場合は特定の波長しか放出しないので藻類等が対流槽３で繁殖するのを抑える効果がある。白熱電球の時には、人間から見て明るく、対流槽３内の状況を把握しやすい効果がある。
【００４７】
また、本装置において、好ましくは、光のスペクトルにおけるピークが６００ｎｍ以上８００ｎｍ以下の範囲にあることがより好ましい。この範囲の波長とすることで、光合成細菌が同化的代謝を行い、硫化水素を効果的に還元する事が出来る。水生生物を過密度で飼育した場合に餌の食べ残しや排泄物も多くなる為、嫌気環境を形成しやすくなり（バイオフィルムの形成が増す為。）硫化水素が増して生成される。少量は大気に放出されるが残りは懸濁液に溶解する。例えば、６００ｎｍ以下の波長を照射すると、光合成細菌は代謝を行えず硫化水素が懸濁液に充満し致死量の濃度になる虞がある為、好ましくない。８００ｎｍ以上の波長を照射すると、光合成細菌は代謝を行えず、赤外領域の光を吸収してしまい、水温の上昇による細菌の不活性化に繋がる虞がある為、好ましくない。
【００４８】
また、本装置において、水塊に照射される光の強度としては、限定される訳ではないが、ＬＥＤ電球の場合、２０ｌｍ／Ｗ（ルーメンパーワット）以上２５ｌｍ／Ｗ以下である事が好ましい。２０ｌｍ／Ｗ以上とすることで、光合成細菌の代謝を増す効果があり、２５ｌｍ／Ｗ以下とすることで、設備コストを抑えるといった効果がある。
【００４９】
また、実施形態の設置高さは限定される訳ではないが、照射角６０度で水塊上部より高さ４０ｃｍの位置で照射し効果を得た。光合成細菌は嫌気環境で光合成する細菌であることから、水塊の上部より照射する事が好ましい。例えば横から照射した場合、有機物の表面に光が当たらず光合成細菌が定着しない虞がある為、好ましくない。
【００５０】
さらに、１日の照射時間は、限定される訳ではないが、６時間以上１２時間未満で照射することが好ましい。６時間以上とする事で、光合成細菌による硫化水素の分解が十分行えるといった効果がある。１２時間未満とする事で、藻類の光合成を制御し、溶存酸素量の過飽和状態によるガス病などの病気に水生生物がなるのを防ぐといった効果がある。また、特定の波長（６００ｎｍ以上８００ｎｍ未満）を照射するＬＥＤ電球は２４時間照射してもよい。
【００５１】
以上説明した通り、本装置によると、飼育槽２において好気環境を形成する一方、対流槽３において貧酸素な水塊を形成し、有機物の十分な浄化効果を発揮することができる。
【００５２】
ところで、飼育槽２では、より好適な好気環境を形成するためにノズルが重要な役割を果たすことができる。ここで、ノズル４２を含めた効果について具体的に説明する。
【００５３】
図５は、飼育槽２における水流の流れを示すイメージ図である。本図に示す水流を形成する飼育槽２では、上述しているように底面排水口４１２を通じて飼育領域２１から背面領域２２に水の流れ（背面側水流ｗ６）が生じることで、飼育槽２内における懸濁液の循環作用を形成することができる。具体的には底面排水口４１２による流れが生じることで、飼育領域２１において水面から底面に向かう水流（以下「下降流」と言う）の水量、及び速流が増すといった効果がある。なお、この流れにおいて、底面排水口４１２に入りきらない流れは、背面遮蔽板４１に沿った上昇水流となる（図中ｗ４参照）。
【００５４】
また、水面排水口４１１が設けられることにより飼育領域２１から背面領域２２への水の流れが生じるため水面の懸濁液を排水させることによって、水面近傍にノズルから水面排水口４１１への流れが形成されることになる。水面排水口４１１からノズル近傍への流れを形成することができ、水面近傍における循環流を形成することが可能となりより好適な好気環境の形成に寄与する（図中ｗ１参照）。
【００５５】
また一方で、ノズルから排出された懸濁液は、対抗する飼育槽２の壁面に当たり方向が変えられることなるとともに、上記下降流（例えば上記ｗ４）と水面近傍における循環流（例えば上記ｗ１）が組み合わさった方向の下降流となる（例えば図中ｗ２、ｗ３参照）。なお、図６は、説明をよりわかりやすくする観点から、この水流を下降流と湧昇流として示したものである。そして、このように複数の下降流（ｗ１〜ｗ４）が形成できる結果、図７で示されるような湧昇流ｗ５も形成できる。この湧昇流ｗ５は、飼育領域２１の底面の内部（壁面から離れた部分）において発生する流れとなっており、懸濁液中の蓄積物を上昇させ、水塊の形成を防止し、好気環境の形成により寄与する。
【００５６】
上記のように、飼育領域２１内では好適に好気環境を形成することができるが、念のためより詳細に説明する。
【００５７】
図６に示す下降流ｗ１は、水面のすぐ下で壁面に沿って一方向に進む。つまり矢印の始点から、線のように水流を形成し、背面遮蔽板４１側からノズル４２の噴流に引き込まれて最後に始点に戻る循環作用が生じる。また、気液界面部の水面部と気体部をコアンダ効果によって引き寄せることができる。その作用は、海洋の流れが卓越風により生じる効果と同じであり、水槽内の物質量が大気中の物質と相互し、平衡することで、水面の水塊を解消し浄化作用を促進することができる。さらに、水面をノズルの噴流によって拡散し、循環ができるといった効果がある。このように、気液界面部からの酸素の溶解によって水面付近の溶存酸素濃度が飽和状態になるのを防ぎ、底面に酸素を浸透させるといった効果がある。また、前記循環作用の途中で排水作用及び放水作用が生じてもよい。
【００５８】
下降流ｗ２は、左側で隅の水塊を解消する下降流であり、始点から底面に向かって一方向に斜線的に進む水流が形成される。また、上述しているコアンダ効果を持ち、壁面に沿って進み、角まで到達すると下降流ｗ３と衝突が生じ水面方向に向かった縦状の渦を形成する。また、角で、全ての下降流は渦にならず、一部は角に沿って背面遮蔽板４１の方向へ進み、下降流ｗ３と衝突が生じ底面と並行の渦を形成する。すなわち、「渦」によって図７に示す湧昇流ｗ５を生成することができる。また、下降流は、水面から酸素を含み底面まで侵入し続けることで、排泄物等の沈殿物の細片化を促進させ、かつ、浮遊させることができるといった効果がある。
【００５９】
下降流ｗ３は、始点から２つに分かれてそれぞれ底面に向かって一方向に斜線的に進む。上述しているコアンダ効果を含み、底面に到達したら底面に沿って進むことができる。つまり、前面の隅と底面に生成される水塊を解消する下降流である。また、上述している下降流ｗ２と衝突することで図７に示す湧昇流ｗ５を生成するといった効果がある。
【００６０】
下降流ｗ４は、右側で隅の水塊を解消する下降流であり、始点から上述しているコアンダ効果を含み、底面に向かって壁面に沿って進む。底面に到達すると背面遮蔽板４１に向かって進み、到達すると、一部は底面排水口４１２より排水されるが、一部は、背面遮蔽板４１の側面を水面に向かって進み、下噴流ｗ０２のコアンダ効果によって引き込まれる循環作用が形成されるといった効果がある。
【００６１】
また、飼育領域２１に形成する下降流ｗ１〜ｗ４及び湧昇流ｗ５による効果は、限定される訳ではなく、流動的であり底面に装飾品を設置してもよい。飼育領域２１の水流は、装飾品の側面を沿うように水流が形成され装飾品を過ぎれば、上述している水流の流れに戻るといった効果がある。例えば、装飾品としては、限定される訳ではないが、石組みのレイアウトや流木を用いたレイアウト等を設置することが可能である。このように鑑賞時の美観を高めることができ、鑑賞時の途用別にレイアウトを構成できる柔軟性を備えている。
【００６２】
ところで図８は、背面側水流ｗ６の略図を示す図である。本図で示すように、背面遮蔽板４１を用いて背面領域２２を形成し、懸濁液を対流させることで、水面排水口４１１から飼育領域２１へ放水する循環経路と対流槽３へ排水される循環経路の形成を増すといった効果がある。また、背面領域２２の水流は穏やかでバイオフィルムの定着を促進し、有機物の細分化を促進することができるといった効果がある。
【００６３】
また、本装置の飼育槽２は、上記効果によって常時懸濁液を大気と触れることができ、懸濁液と大気で物質が平衡し、過飽和状態と貧酸素状態になるのを防ぐことができるといった効果がある。
【００６４】
ところで、水流には上述しているコアンダ効果を生じる速流であることが好ましい。コアンダ効果は気体、液体に効果を発揮し、本装置において微細泡沫の生成、及び懸濁液の好気環境を形成するといった効果がある。
【００６５】
つまり、本装置の下降流ｗ１〜ｗ４は、速流に比例して増すコアンダ効果を有して、飼育領域２１内の側面、底面に沿って進む。そのコアンダ効果は気体液体のように噴流に引き込めない壁面のそばを通過する場合、逆に壁面に引き寄せられる性質があり、下降流ｗ１〜ｗ４は、コアンダ効果によって隅、底面の水流が淀みやすい水塊にまで懸濁液が循環することができる。さらに、上記図５に示す矢印の周囲の懸濁物も矢印の方向に引き込み水塊の形成を抑え、懸濁液中或いは沈殿する有機物に通性嫌気性細菌等の微生物を確実に付着させ細片化し水塊へ誘導できるといった効果がある。
【００６６】
また、コアンダ効果の生じる水流の速流では藻類が飼育槽２の壁面に付着しにくいといった効果がある。
【００６７】
また、図８に示す背面側水流ｗ６の略図は、本装置において上述しているが、飼育槽側ポンプ４３を用いて背面領域内２２に好気環境を形成する場合の例である。飼育槽側ポンプ４３には、限定される訳ではないが、背面領域２２内の好気環境を増すといった効果がある。また、本装置のように対流槽３を別空間で設置したとき使用することで効果がより顕著となる。背面領域２２に好気環境を形成することで普遍的に生じる水塊の形成を防ぐことができる。また、飼育槽側ポンプ４３はエアーレーション等の泡沫を生成する器具でもよい。
【００６８】
さらに、本装置において、背面遮蔽板４１は限定される訳ではないが、光の遮断効果のある部材で構成されていることが好ましく、具体的には着色されたもの、黒色であることがより好ましい。このようにすることで、水生生物の発色をよくするといった効果がある。また、背面領域２２内にある配管類、飼育槽側ポンプ等の機材が見えず、飼育領域２１において鑑賞時に美観を損なわない効果がある。
【００６９】
ところで、泡沫を懸濁液に混入させると溶存酸素量が増すことが知られている。本装置は、泡沫を生成し懸濁液中に混入させることが好ましい。より具体的には、ノズル４２によって、泡沫を生成することができる。
【００７０】
また、泡沫は微細であるほどよい。上述している泡沫の膜は、気液界面であり、微細であるほど泡沫の自己加圧効果によって浮力に乏しくなり、下降流に混入することによって、長期浮遊させることができる。また、長期浮遊によって懸濁液中に泡沫内部の気体溶解量を増すといった効果がある。また、本装置の実施形態は矩形形状に限定される訳ではなく、例えば球体のような壁面が曲面でもコアンダ効果によって下降流ｗ１〜ｗ４の形成が可能である。
【００７１】
つまり、飼育領域２１では、下降流と湧昇流と微細泡沫が生じて形成される好気環境であることが好ましい。このように形成した懸濁液中では、好気性生物（水生生物・好気性細菌・原生生物等）が良好に生命活動を行えるといった効果がある。
【００７２】
また、本装置の、循環槽３内に設置してある対流槽側ポンプ４８から取水配管４７を通った懸濁液は、背面遮蔽板４１の上部で一部水面から露出したノズル４２によって噴射することで上述している下降流ｗ１〜ｗ４をより効果的に形成することができる。
【００７３】
本装置における水流方向の略図において、下降流ｗ１〜ｗ４はノズル４２から放出する上噴流ｗ０１と下噴流ｗ０２は、上記図６乃至図８で示したとおりである。
【００７４】
また図９は、ノズルによって生じる噴流方向の略図である。本図に示す墳流方向の略図において、水面上に露出する部分は限定される訳ではないが、５ｍｍ以上１５ｍｍ未満が好ましい。５ｍｍ以上にすることで微細泡沫を生成できるといった効果がある。１５ｍｍ未満にすることで、上噴流１０が水面に衝突する時の衝撃を緩和するといった効果がある。
【００７５】
また、対流槽側ポンプ４８から送水されるノズルの設置場所としては、限定される訳ではないが、ノズル４２を水面から一部露出させるようにし、背面遮蔽板４１の上部で排水配管４６一定の距離を取った場所に、飼育領域２１に噴出口を出すよう設置する。なおここで「一定」とは背面遮蔽板４１の幅に収まる範囲であれば近くても離れていてもよい（背面領域２２内の設置場所によって本装置の効果が劣ることがない）。
【００７６】
このように設置することで、ノズル４２の噴射口上部１ｂは水面上で上向きになり、噴射口下部１ａは水面と並行するように水面下に設置されることによって、噴射口上部１ｂから噴射される上噴流ｗ０１は、上に進む力が働き重力に反発する抵抗が上に行けば行くほど大きく掛かる。つまり、速流が失速しながら矢印の方向へ進むといった効果があり、その時下噴流ｗ０２は水面下を水面と並行して進む。すなわち、ノズルから放水する噴流形状は上噴流ｗ０１と下噴流ｗ０２で噴射方向が違うように形成することが好ましい。
【００７７】
さらに限定される訳ではないが、本図の墳流方向の略図に示した噴射口上部１ｂと噴射口下部１ａの間はつながっており、水面が一体化する事で、水面を噴流の進行方向に向かわせることができるといった効果がある。つまり、上墳流ｗ０１の水面進入時の速流と近い速流で水面が移動している為、前記進入時の衝撃による水面との抵抗を抑え、水面下に侵入後により大きなコアンダ効果を生じることができる。すなわち、前記進入後の上噴流ｗ０１の上部に負圧が生じ、衝突地点ｗ０３が形成されて微細泡沫ｗ０４を生成することができる。
【００７８】
また、上噴流ｗ０１の水面下に侵入する力は、ノズル４２から放水される水量に比例して大きくなり、それによって、噴流に生じる周りの気体液体を引き込むコアンダ効果を増すといった効果がある。またコアンダ効果を生じて、水面に侵入後に墳流近傍の水面上部では、水面の歪みにより負圧が生じる。上噴流ｗ０１は、水中で下墳流ｗ０２と合体し前方に進行方向が変わるが、上記負圧部（図中ｗ０３参照）が障害物となり墳流に生じているコアンダ効果によって生じる負圧に引き込まれるように進行方向が水面に向かう。さらに下噴流ｗ０２の速流によって上噴流ｗ０１の速流が上がり、水面まで到達したら行き場を失い底面へ方向を変え、上噴流ｗ０１に衝突地点ｗ０３で衝突することで微細泡沫ｗ０４を生成する。このように、水面を用いた剪断が生じて微細泡沫ｗ０４を生成することによって、表面張力の働く水面を循環させることができる。さらに衝突地点ｗ０３では乱流が生じ、水面に波を形成し水面の面積が広くなることで気体の溶解能力を増すことができるといった効果がある。
【００７９】
すなわち、飼育領域２１では下降流ｗ１〜ｗ４と湧昇流ｗ５と微細泡沫ｗ０４を生成することによって、より好適な好気環境を形成できるといった効果がある。また、微細泡沫ｗ０４によって飼育槽２と対流槽３の懸濁液は、水塊を除き好気環境が形成されるといった効果がある。
【００８０】
また、本装置でノズル形状は限定されるわけではないが、図１０に示す形状であることが好ましい。ノズルの円形断面部の中心から上下に直線状の点線を縦軸（ｘ）とし、前記円形断面部の中心から左右に直線状の点線を横軸の（ｙ）とする。形状は（ａ）のノズル正面図に示すように、円形状（起点部）と、その面積と相対して一番絞られた面積比の終点（噴射口）を有するノズル形状である。より具体的には、終点（噴射口）の下端である１ａの幅が、上端である１ｂの幅より１：２の比で小さい幅で、さらに終点（噴射口）の一部に直線を有し、１ａの末端部から（ｅ）の側面図に示した延伸方向（起点）にかけて直線の形状になるように、（ｙ）軸の左右両側から均等に絞った形状を有する。このように噴射口形状は円周の長さの範囲で（ｘ）軸方向に延伸され、その長さは（ｙ）軸の直径よりも長くなり、前記円形状の起点の上端部より吐出して１ｂの末端部は形成される。つまり、上端部から起点までの形状が（ｅ）の側面図で示す延伸方向（起点）に向かい一部曲線を有する形状になる。前記構成により噴射口の上端部である１ｂの末端部から起点の上端部までの長さは、下端部である１ａの末端部から起点の下端部までの長さより相対的に短く形成される。すなわち、Ｂの長さが延伸方向にあるＡの長さよりも長く起点の上端位置より高い上記形状を有することで、１ｂは上向きの噴流を形成できる。また、限定される訳ではないが、１ｂ及び１ａは末端部より３ｍｍ程度下であり、１ｂより７ｍｍ程下部にくびれを有することで１ａから１ｂ間の断面積で、前記くびれより上部の噴射水量を相対的に多くでき、上述している上記図９に示した微細泡沫ｗ０４の生成を増すことができるといった効果がある。
【００８１】
すなわち、噴出口において、下噴出口と、前記下噴出口と噴出形状が異なる上噴出口を有するノズル形状が好ましい。
【００８２】
また、下噴流と、下噴流と噴出方向が異なる上噴流を生じさせることは、一体の噴出口としても、別々の噴出口を設けることとしてもよい。別々の噴出口とする場合、二つの噴出口の方向を異ならせることで達成できるし、一つの噴出口において、方向を異ならせるための方向を傾けた仕切板を配置することも可能である。（別々の噴出口を設ける場合、一方の噴出口を水槽の水面下になるように配置し、他方の噴出口を水槽の水面上になるように配置することが好ましい。）
【００８３】
また、噴出口において、水流を絞ることが好ましい。「絞る」ことで、噴出する水量を抑えて水生生物の飼育に好ましい水流を形成できるといった効果がある。
【００８４】
特に、一体の噴出口を形成する場合、一方向に細長く伸びた形状とすることが好ましい。さらには、この幅も、一方の端（下端）から他方の端（上端）に向かうに従い、幅が広がっている形状であることが好ましい。このようにすることで図９に示す噴流形状を形成できる。ただしくびれがあってもよい。
【００８５】
また、噴出口の反っている（配管の入り口の長さよりも噴出口の長さが長い）ことが好ましい。一体にすることで水面が変化したとしても、柔軟に対応できる。
【００８６】
また、上述している微細泡沫１３は限定される訳ではないが、０．５ｃｍ以下の微細である事が好ましい。微細であるほど自己加圧効果が高まり浮力が劣るため衝突地点１２で生成された微細泡沫１３は、壁面に衝突し下降流ｗ１〜ｗ４（図９参照）として分散し、長時間浮遊して懸濁液の内部から溶存酸素を増すといった効果がある。
【００８７】
また、生成した微細泡沫ｗ０４を懸濁液中に充満させることによって、飼育槽２と対流槽３の溶存酸素量を全体的に高めるといった効果がある。
【００８８】
上述している微細泡沫ｗ０４の大きさについて、目視確認できる最大１０μｍ程度の泡沫まで確認している。このような１０μｍの大きさとはとても小さく、例えば、塗料の１粒子程であり肉眼で確認できる最小の大きさであることが知られている。
【００８９】
また、本装置において、飼育領域２１の懸濁液に照明を照射するとチンダル現象が発生する状況が好ましく、ライトを水槽上部より照射し斜め下から観察すると輝く点状の泡沫が無数に確認できる。このように１０μｍ程の泡沫の目視が可能である。また、ライトを照射しないと目視確認できない泡沫も存在する。つまり、泡沫の表面は気液界面であり光を屈折させる為、１０μｍ以下の泡沫も生成することが可能といった効果がある。
【００９０】
ところで上述しているノズル４２の知見は、実施形態で複数の異なる形状のノズルを設置し得た知見であり、さらに詳細を下記に記載する。
【００９１】
図９の噴流をノズルで形成することで、飼育領域２１の図６に示す水流（下降流）ｗ１〜ｗ４を形成できるといった効果があり、さらにエアーレーションを使用した時の飛沫による水槽外の汚れを抑えるといった効果がある。また、水流ポンプやエアーレーション等の設置を不要とし、鑑賞時の見栄えが良くなるといった効果がある。
【００９２】
また、実施形態で当初のノズルは筒状であって噴射方法を底面からの吹上或いは、水面下或いは水面上より懸濁液を放水し淀みを解消しようと実施したが、極めて困難であったことから本発明のノズルの構造による効果であることはいうまでもない。
【００９３】
ただし、上述している図９に示す墳流の形成は上記図１０で示す形状であることが好ましいものであるが、このノズル形状に限定されるのではなく、図１１乃至図１４に示すノズルでも同等の効果を得ることができる。以下具体的に説明する。
【００９４】
図１１に示すノズル４２１の形状において、（ａ）の正面図では、ノズルの起点から終点（噴射口）まで円形（筒口）であり、その内側の（ｙ）軸上に仕切り板を有し、上端部の噴射口上部２ｂと下端部の噴射口下部２ａを形成する。噴出口側の噴射分離板２ｃを中心に設置し、延伸方向に向かい２ａが狭くなるように中心から３度以上１０度未満の角度をつけて設置することが好ましい。３度以上とすることで上向きの墳流を形成出来るといった効果がある。また、１０度未満とすることで２ａから放出する速流を維持することができるといった効果がある。つまり、可動時に、仕切り板２ｃに壁面に沿うコアンダ効果を生じて、上墳流１０が仕切り板２ｃの沿線上のラインを描くことになる。噴射口の下端である２ａは、（ｂ）の側面図に示すように延伸方向に向かい直線であるため、直線状の墳流を放出できる。また、２ａの全てが直線状に放出する訳ではなく、一部仕切り版２ｃに沿って放出され上墳流と下噴流の間を形成する墳流となる。すなわち、噴出口において、下噴流と、前記下噴流と噴出方向が異なる上噴流を生じさせる噴流を形成することができる。
【００９５】
図１２に示すノズル４２２の形状において、（ａ）が正面図で、一つのノズル（筒口）を中心から（ｘ）軸の２ｍｍ以上５ｍｍ未満下でノズルの終点（噴射口）部を分裂させる事が好ましい。２ｍｍ以上とすることで、噴射口の上端部である噴射口上部３ｂが下端部である噴射口下部３ａより水量が多くなるため上墳流の形成が出来るといった効果がある。また５ｍｍ未満とすることで、噴射口下部３ａの水量を維持することができ、下墳流ｗ０２を形成出来るといった効果がある。また、（ｂ）の側面図で示すように、噴射口上部３ｂと噴射口下部３ａは、延伸方向に向かい一つの筒となり、起点の下端部から上端部までの長さと終点（噴射口）の下端部から上端部までの長さは同じである。つまり、水面上の墳流と、水面下の墳流を、ノズルの形状によって区別することで、上墳流ｗ０１と下墳流ｗ０２が形成される。つまり、噴射時に（ａ）の中心部分が水面の気液界面部になることが好ましい。対流槽３の懸濁液が噴射口に送水されることで、噴射後に噴射口上部３ｂと噴射口下部３ａから送水された墳流は、図９に示す形状を有する。つまり、下噴流と、前記下噴流と噴出方向が異なる上噴流を生じさせる噴流を形成することができる。
【００９６】
図１３に示すノズル４２３は（ａ）が正面図で、（ｂ）は側面図であり、上述しているノズル４２の噴射口上部１ｂにあるくびれが無い逆三角形状の形状であるが、噴射水量を相対的に多くすることで、水面上の水量が増して、図９に示す形状を生じると言った効果がある。すなわち、噴出口において、水量を増すことによって下噴流と、前記下噴流と噴出方向が異なる上噴流を生じさせる噴流を形成することができる。
【００９７】
図１４に示すノズル４２４は（ａ）が正面図で、（ｂ）は側面図であり、噴射口上部５ｂと噴射口下部５ａが等しい幅を有していることを特徴とする。また、上記ノズル４２３と同様に水量を増やすことで、噴射後に図９に示す墳流形状を形成でき、噴出口において、下噴流と、前記下噴流と噴出方向が異なる上噴流を生じさせる噴流を形成することができる。
【００９８】
上記の実施形態から、飼育領域２１内に水面から一部露出して放水し、衝突地点ｗ０３で、方向の違いを生じる噴射口形状を有し、微細泡沫ｗ０４及び下降流ｗ１〜ｗ４を生成するノズルであれば、上述している墳流形状を形成することができるといった効果がある。すなわち、飼育領域２１に好気環境を形成するためには、下噴流ｗ０２と、前記下噴流と噴出方向が異なる上噴流ｗ０１を生じさせるノズルを用いることが好ましい。
【００９９】
ところで、図１５に示す浄化作用における有機物の還元を示す略図は上述しているように、有機物が還元されるサイクルを微生物群によって形成する。つまり各微生物が増殖できる環境が形成されていることが必須である。
【０１００】
上述している有機物は好気環境の懸濁液中を浮遊しながら微生物によって硫黄（Ｓ）が代謝され硫化水素（Ｈ２Ｓ）になる腐敗を伴いながら細分化せれていき、細かい粒状にまでなる。細分化された前記有機物は、微生物（細菌の酵素）によって窒素（Ｎ）を含むアミンと炭素原子（Ｃ）を含む有機化合物（有機酸）に分かれる。アミンは無機化合物として懸濁液中の好気環境で硝化処理（ニトロソモナス属、ニトロバクター属等の硝酸細菌類）による代謝の最終産物で硝酸塩となり水塊（嫌気環境）で脱窒される。前記作用により、硝酸細菌類は増殖が可能となる。
【０１０１】
有機化合物（有機酸）は多種の化合物で構成されている為、質量があり早期に水塊に沈殿し、微生物群が共生するバイオフィルムを形成する。上述しているように水塊内は酸素に乏しく、バイオフィルム内では通性嫌気性及び嫌気性の微生物が代謝を行えて、有機化合物は発酵を生じて増殖が可能な環境となる。
【０１０２】
しかしながら微生物にも寿命があり、死んで亡骸となる。前記亡骸は有機物として微生物に代謝に用いるサイクルができる。つまり、懸濁液中の相互作用によって有機物が水槽内に共生する微生物群の代謝に用いられることで水生生物が飼育できる水質を形成できるといった効果がある。
【０１０３】
また、微生物とは、目視するのが困難な生物で細菌類、プランクトン類、藻類等の真核生物及び原核生物であり、大気中に無数に休眠状態で浮遊しており、個々の繁殖に適した環境に着地した時に活動を開始するため、気液界面では大気中の微生物が懸濁液に常時落下し流動還元濾過で用いる微生物群となり、食物連鎖を形成する。
【０１０４】
また、水生生物等の多細胞生物は酸素を必須とするが、原核生物である細菌はその限りではない。嫌気性と通性嫌気性と好気性のそれぞれの環境で活動する事が知られており、それぞれが相互性を有する事で水生生物等の活動に優位な環境が形成されるといった効果がある。
【０１０５】
さらに、一観点に係る流動還元濾過の構成をより詳細に下記に図１６の浄化作用における有機物の還元を詳細に示す略図に基づいてより詳細に説明する。
【０１０６】
始めに飼育装置を立ち上げ、水生生物を投入し有機物である餌を投与し、その餌の食べ残しや水生生物の排泄物等が本装置内に発生し始めた時から流動還元濾過が開始される。
【０１０７】
その餌の蛋白質と蛋白質の結合部分である硫黄（＝Ｓ）が微生物に取り込まれ細片化し、懸濁液中に浮遊する。硫黄（＝Ｓ）の反応では硫化水素（Ｈ２Ｓ）を生成する事が知られており水槽など閉鎖的空間で有機物の量に比例して生成され、水生生物の生存が困難になるばかりか周囲に激臭を漂わせる腐敗が起こる。上述している硫黄（＝Ｓ）を光合成細菌に固定させることで還元でき、次の反応式に示す。
【化１】
2018201462.tif 000003
【０１０８】
上記の反応式は懸濁液中に浮遊している有機物が好気性微生物によって代謝し、流動によって水塊に集結して嫌気性の微生物による異化的硫酸還元によって硫化水素（＝Ｈ２Ｓ）を生成する。前記水塊に、上述している光を照射し、嫌気性の光合成細菌が光を用いた同化的反応で炭素を固定し、同時に硫黄（＝Ｓ）も体内に固定し、硫黄の粒が体内で形成されるといった還元的効果がある。また、水生生物の飼育数に限定される事無く懸濁液の浄化が可能になる。
【０１０９】
また、分解された蛋白質はアミノ酸の集合体（＝−ＣＯ−ＮＨ２＋）であり、懸濁液中に浮遊し微生物により分解されるとアミン（＝Ｒ−ＮＨ２＋）と有機酸（＝−ＣＯＯＨ）に細片化する。アミン（＝Ｒ−ＮＨ２＋）はアミノ基（＝−ＮＨ２＋）と溶解性の高い物質になる。さらに、懸濁液中でアンモニア（＝ＮＨ３＋）に酸化されて、アンモニウム（＝ＮＨ４＋）となる。このように有機物は腐敗作用から始まる事は明らかである。
【０１１０】
また、アンモニウム（＝ＮＨ４＋）は窒素（＝Ｎ）の還元作用として、硝化処理及び脱膣によって還元される。好気性の細菌により好気環境化でアンモニウム（＝ＮＨ４＋）を酸化反応させて亜硝酸塩（＝ＮＯ２−）へ酸化させ、硝酸塩（＝ＮＯ３ー）を生成することを硝化処理という。その硝酸塩（＝ＮＯ３−）は、水流によって嫌気環境（水塊）に集結し嫌気性細菌及び通性嫌気性細菌によって亜硝酸塩（＝ＮＯ２−）へ還元され亜酸化窒素（＝Ｎ２Ｏー）に還元された後に、最終産物の窒素分子（＝Ｎ２）へ還元されることを脱膣という。上記硝化処理及び脱膣の反応式を下記に記載する。
【化２】
2018201462.tif 000004
【０１１１】
上記の反応で生成される最終産物の窒素分子（＝Ｎ２）は、大気へ放出される。また、大気中の窒素分子（＝Ｎ２）を窒素固定細菌によりアンモニア（＝ＮＨ３＋）に還元されるといった循環も水槽内の環境によって平衡して生じる。
【０１１２】
また、有機酸（＝−ＣＯＯＨ）は、炭素（＝Ｃ）を含む様々な化合物で構成されており、沈殿物として水塊に移動し、微生物群に分解及び吸収されていく。また、バイオフィルムのバリアー的役割をするＥＰＳの構成要素であり、多種多様の微生物群の住みかとなる。（デトリタスとも言う。）本装置でプランクトンの一種で、カイアシ類等の甲殻類を確認しており、有機物を摂取する細菌類の共生関係が形成され、その細菌類を捕食するプランクトンが発生するといった食物連鎖を形成していることが確認できた。つまり水槽内で微生物群が共生し安定した環境で維持されていることが立証されている。上記で述べたバイオフィルムは、水塊内で主に形成され嫌気性と通性嫌気性の微生物が繁殖できる環境であり、繰り返し微生物の酵素によって分解されて行き核酸等のリン（＝Ｐ）及び他元素が吸収されて、さらに微生物は増殖して炭素（＝Ｃ）が固定されていく発酵が生じる。また、発酵により細分化されていく沈殿物（有機酸）は、微細で質量も軽く容易に浮遊するようになり、徐々に好気環境へ分散し好気性の微生物にも摂取できるようになる為、微生物群の活動は衰えず平衡し浄化効果を持続できるといった効果がある。
【０１１３】
すなわち、上述している流動還元濾過を形成するには、好気環境で形成された懸濁液中の特定の場所に水塊（嫌気環境及び貧酸素環境で形成されていればよい。）が形成された空間を用いることが好ましい。
【０１１４】
また、水生生物を過密度で飼育或いは大型の水生生物の場合、餌の摂取量及び排泄物が増し閉鎖的空間内では、有機物が増大し沈殿物（有機酸）が急激に増すことがある。上記有機酸は分解しにくい複雑な化合物（多糖類など）も含有しており、上述している流動還元濾過の中で発酵による分解が相対的に遅れることで生じるが、浄化作用に問題はなく還元されていく。尚、沈殿物（有機酸）により形成されたバイオフィルムは食物としてベントス（水底生物）に摂取されることで、沈殿物（有機酸）を解消する事が可能であり、フィルター等の基材を不要で浄化できるといった効果がある。
【０１１５】
ところで、微生物の寿命は短命である事が多い為、亡骸が蓄積されて行く。また、排泄物には多くの微生物の亡骸が含まれ多量に蓄積される。前記亡骸は、上述しているような有機化合物で構成された多細胞、或いは単細胞の有機体であり、懸濁液中を浮遊させることで微生物によって細胞間マトリックスの主成分である糖質が分解され、細胞膜の主成分である脂質（主にリン酸を含有する脂質）の分解が始まるサイクルができる。このように、好気環境と嫌気環境で浄化作用を生じる各微生物の活動できる環境を提供することで相互作用が生じ、さらに各微生物に増殖するための栄養が有機物である為、水槽内の環境を平衡させることができる。また、腐敗作用を適切に用いることで水槽内の環境を適正に形成できるといった効果がある。また、上述している食物連鎖を構成することで水生生物及び微生物に必須元素が提供されるため、前記環境下では換水を不要で水生生物の飼育ができる。
【０１１６】
また、限定される訳ではないが、通性嫌気性の乳酸菌を取り入れることが好ましい。通性嫌気性の乳酸菌は、排泄物や大気中に存在し、周囲を酸性にして病原菌に多いアルカリ性の菌の繁殖を抑制し流動還元濾過を長期間持続出来るといった効果がある。
【０１１７】
すなわち、上述している流動還元濾過は乳酸菌によって病原体の繁殖を抑制でき、腐敗作用を用いる為、基材を設置する必要性が無く水生生物を良好に飼育出来るといった効果がある。また、大気中に存在する常在菌の増殖できる環境を形成する事で有機物の浄化作用を水流と水塊で行うことができるといった効果がある。
【０１１８】
また、流動還元濾過は、懸濁液中の有機物が増えたら微生物の数も増え続けて無くなれば数は制限される為、浄化能力が水生生物の数及び排泄物の量に平衡した一定の能力を維持できるといった効果がある。また、分子より小さい有機物は、懸濁液中の環境を維持しようとする力が働くといった効果がある。つまり懸濁液に含有する有機物が多すぎた場合には、必要に応じて水面から水蒸気に付着或いはそのまま大気中に放出されるといった効果があり、人にとって臭いとして確認できる。また、乳酸菌は複数の種類がおり海洋環境に適応する物も発見されている為本装置は海水、汽水でも上述している効果を発揮する。
【０１１９】
上述している流動還元濾過の方法は懸濁液で満たされていれば可能である。例えばアオコの発生などの環境汚染においても浄化できるといった効果がある（例えば上記非特許文献１参照）。
【０１２０】
すなわち上記非特許文献１で述べているように、アオコの発生環境では、水は富栄養であり真核生物及び原核生物が大量に発生する。つまり、昼間は藻類の光合成による大量の酸素放出及び増殖で水中は飽和状態の好気環境になり、夜になると藻類が呼吸代謝を行い大量の酸素が消費された貧酸素の嫌気環境になる。つまり一日の循環過程で一つの空間に極端な好気環境と嫌気環境が交互に形成され、水生生物が生存出来ない汚染環境となる。
【０１２１】
しかしながら、上述している流動還元濾過の方法に従い好気環境と嫌気環境で、好気環境中に一定域において嫌気環境を形成し上述している相互性を持たせると、好気環境で通性嫌気性細菌による代謝が常時行えて食物連鎖を生じ、甲殻類の微生物等が藻類を捕食し、活動を抑制することで夜間の酸素消費が軽減され、食物連鎖を形成し汚染環境を浄化させるといった効果がある。
【０１２２】
また、好気環境の懸濁液中に普遍的な水塊の形成は腐敗の進行を妨げ、変質さしてしまい硫化水素等の水生生物にとって有害物質を散乱さしてしまう為流動還元濾過を形成することは極めて困難である。すなわち、浄化作用において一定域に水塊を形成することが好ましい。
【０１２３】
以上、本飼育装置によっても、上記と同様、飼育装置内で有機物の十分な浄化効果を発揮することのできる飼育装置及び飼育方法を提供することができる。
【０１２４】
（飼育装置２：一体型）
ところで、上記のとおり本発明に於いては、飼育槽２と対流槽３を分離した場合について説明したが、飼育槽２と対流槽３とを一体に形成する上記飼育装置１とすることも可能である。本装置の例について図１７に示す。なお、本装置において、用いる各要素については、上記飼育装置１の場合と同様であり、異なる構成について主として説明する。
【０１２５】
本装置では、一つの水槽によって飼育装置が形成されており、その内部に飼育槽２、対流槽３が形成されたものとなっている。なおこの飼育槽２と対流槽３の区切りは、背面遮蔽板４１によって区切られる。そして、循環経路部材４は、対流槽３側に形成される排水口４４、取水口４５、対流槽側ポンプ４８であるとともに、背面遮蔽板４１とこの水槽の底面戸の隙間（底面排水口４１２）が含まれる。
【０１２６】
本図の例では、背面領域２２が対流槽３となっており、対流槽３にはポンプが配置されていない。この結果、対流槽３内の底面近傍においては穏やかな流れが形成され、この位置に貧酸素領域である水塊が形成されることになる。
【０１２７】
また、本装置に於いて、対流槽側ポンプ４８による取水位置は、限定されるわけではないが、底面近傍及び上端近傍ではなく、水槽の中央近傍にあることが好ましく、より好ましくは、水槽の底面から上端までの長さを１とし、底面位置を０とした場合、取水位置の位置は、０．２以上０．７以下であることが好ましい。０．２以上とすることで、この取水位置と底面との間の水の流れを穏やかにして水塊を形成することができるようになる一方、０．７以下とすることで、飼育槽内における水の循環を効率的に行い飼育槽２内の好気環境を好適に維持することができるようになる。尚、対流槽内に設置しても良い。（水槽内及び外にすることによって効果が変わることがないため。）
【０１２８】
また、本装置において照明器具３１は、上記の例と同様、対流槽３側に配置されるが、その波長が赤みの強い光であるため、できる限り飼育領域２１には照射されないよう配置されていることが好ましい。またこのため、飼育領域２１に光が照射されないよう、背面遮光板は上記波長の光を遮断する部材であることが好ましい。また、照明器具３１の配置位置（照射方向）としては、水面側から水中に照射する位置であることが好ましいが、水槽の壁面側から照射するよう配置しても良い。この結果、照明器具３１の照射範囲を対流層３に限定して照射することができ、更に、鑑賞時の美観を損なわないで浄化作用を有することができるといった効果がある。
【０１２９】
以上、本飼育装置によっても、上記と同様、飼育装置内で有機物の十分な浄化効果を発揮することのできる飼育装置及び飼育方法を提供することができる。特に本装置によると、一体型とすることで、より省スペースにでき、製造コストを低減させることができるといった効果がある。
【実施例】
【０１３０】
ここで、上記実施形態に記載の装置について、実際に作成を行いその効果を確認した。以下具体的に説明する。なお本実施例では、上記実施形態１に記載の装置について行った例である。
【０１３１】
本装置には、上記のとおり、下降流ｗ１〜ｗ４と湧昇流ｗ５の形成によって、泡沫の溶解作用或いは気液界面部で生じる気体溶解作用といった２つの溶解効果があり、大気の気体中に存在する酸素を懸濁液に高効率で溶解させることができる。すなわち好気環境の形成要素である酸素の溶存酸素量を十分に満たすことができる。
【０１３２】
また、本装置で、酸素を消費した後の湧昇流ｗ５地点でエアーリフト方式の器具を用いて懸濁液中に泡沫を放出し泡沫が溶解した時の水温２７度時点の溶存酸素量は、平均６．２７ｍｇであったが、本装置に上述しているように構成されたノズルでは、同条件下で平均６．８７ｍｇであり相対的に溶存酸素量が増す効果がある。
【０１３３】
また、溶存酸素量は水温により飽和溶存酸素量が異なる為、限定される訳ではないが、本装置において６．２ｍｇ以上にすることによって、過密度で水生生物を飼育しても酸欠になりにくいといった効果がある。
【０１３４】
また、溶存酸素量７．８ｍｇ以下にすることによって、水温２７度の飽和溶存酸素量を超えて過飽和状態になることを抑え、水生生物がガス病等を発症するのを防ぐといった効果がある。
【０１３５】
さらに、原核生物による好気環境下での効果を立証する為、本装置に水生生物の亡骸を投入し浄化される過程の観察を、下記に記載する。
【０１３６】
本装置で実施された図１８に示す写真は、投入一日目である。相互性の無い好気環境であれば、一般的に通性嫌気性細菌等の数は少なく、真核生物である水カビ等の菌類が優勢であり、亡骸に水カビ等が付着し変質させる事が知られている。本装置に作用している流動還元濾過では、通性嫌気性細菌の乳酸菌等が、亡骸表面に付着し分解を始めて酸素が消費され水カビ等の菌類が付着出来ず白いカビ状の物質が見られなかった。
【０１３７】
また、図１９に示す写真は、二日目である。亡骸の腹部が無くなっており、これは、通常生体内には複数の通性嫌気性細菌及び嫌気性細菌が体内に住んで共存関係にある為であり、特に内臓に集中していることから、体内から腐敗作用が始まっていることを示している。これらの原核生物も水流によって水塊に集まり増殖するといった効果がある。
【０１３８】
また、図２０に示すのは３日目であり、体の構成で比較的柔らかい内臓、肉、皮膚、眼球はほぼ無くなっている。上記原核生物により分解された物質は、細片化され水塊に移動して、好気環境と嫌気環境の相互する流動還元濾過の効果によって、腐敗による水質の悪化及び悪臭は一切見られなかった。
【０１３９】
また、図２１に示すのは４日目であるが、骨格を形成している筋も全て分解されて骨がバラバラになり頭蓋骨のみ確認が取れた。
【０１４０】
すなわち、通性嫌気性細菌等の原核生物によって、好気環境で細片化された有機物が、水流によって水塊へ移動し還元する浄化過程が確認できる。また、水質の悪化を伴わずに、有機体である亡骸の全ての還元が行える流動還元濾過の効果を発揮した。
【０１４１】
また、上述している実施形態を基準として３〜１５ｃｍ程度の水生生物を実施形態の飼育槽１で３０匹１８０日飼育したところ、亜硝酸塩が２０ｍｇ以下を維持し硝酸塩が１ｍｇ以下を維持して飼育できた。つまり、基材不要及び換水なしで良好に飼育できるといった効果がある。また、４５匹の飼育も成功し、さらに循環槽７でベントスによるデトリタスの除去及び維持にも成功した。このように、高い浄化作用で肉食性の水生生物においても同等の浄化作用があるといった効果がある。また、脱皮を行うことで多くの元素が必要な甲殻類の飼育も成功し、上述している流動還元濾過の効果を立証している。このように水生生物の種類或いは個体数を限定されずに懸濁液が水生生物の生存可能な環境を維持できるといった浄化効果を示した。
【０１４２】
以上、本実施例によって、本発明の効果について確認することができた。
【０１４３】
なお本装置は、上述している実施形態に限定される訳ではなく、もっとも簡素な構造で加工が容易であり流動還元濾過の維持管理も容易であるといった効果がある。例えば内陸の水族館などの大型装置の簡素化も可能で、例えば車に搭載し移動式にする事も可能である。また商業施設で場所を選ばず簡素に設置することも可能である。また、飼育の維持管理が非熟練者で出来るため、従来では困難であったコストパフォーマンスを良くすることも可能である。
【符号の説明】
【０１４４】
１飼育装置
２飼育槽
２１飼育領域  
２２背面領域
３対流槽
３１照明器具
４循環経路形成部材
４１背面遮蔽板
４１１水面排水口
４１２底面排水口
４２ノズル
１a噴射口下部
１ｂ噴射口上部
４３飼育槽側ポンプ
４４排水口
４５取水口
４６排水配管
４６１排水吸入口
４６２排水放出口
４７取水配管
４８対流槽側ポンプ
ｗ０１上噴流
ｗ０２下噴流
ｗ０３衝突地点
ｗ０４微細泡沫
ｗ１〜４下降流
ｗ５湧昇流
ｗ６背面水流
【図１】
2018201462.tif 000005
【図２】
2018201462.tif 000006
【図３】
2018201462.tif 000007
【図４】
2018201462.tif 000008
【図５】
2018201462.tif 000009
【図６】
2018201462.tif 000010
【図７】
2018201462.tif 000011
【図８】
2018201462.tif 000012
【図９】
2018201462.tif 000013
【図１０】
2018201462.tif 000014
【図１１】
2018201462.tif 000015
【図１２】
2018201462.tif 000016
【図１３】
2018201462.tif 000017
【図１４】
2018201462.tif 000018
【図１５】
2018201462.tif 000019
【図１６】
2018201462.tif 000020
【図１７】
2018201462.tif 000021
【図１８】
2018201462.tif 000022
【図１９】
2018201462.tif 000023
【図２０】
2018201462.tif 000024
【図２１】
2018201462.tif 000025
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
底面と前記底面の辺に沿った壁面を備える中空柱状であり、好気環境を形成し水生生物を飼育する飼育槽と、
底面と前記底面の辺に沿った壁面を備える中空柱状であり、嫌気性の淀みを形成する対流槽と、
前記飼育槽と前記対流槽間において懸濁液を巡回させる循環経路形成部材と、
前記嫌気性の淀みに光のスペクトルにおけるピークが６００ｎｍ以上８００ｎｍ以下の光を照射する照明器具と、を備える飼育装置であって、
前記循環経路形成部材は、前記飼育槽から前記対流槽へ前記懸濁液を送水させるための排水配管、前記対流槽から前記飼育槽へ前記懸濁液を送水させるための取水配管、前記取水配管に接続され前記懸濁液を前記対流槽から前記飼育槽へ戻すための対流槽側ポンプ、を備えており、
前記排水配管の排水放出口と前記対流槽側ポンプを前記対流槽内において離れた位置に配置し、前記排出放出口と前記対流槽側ポンプを結ぶ直線から少し外れた底面近傍の位置に前記嫌気性の淀みを形成する飼育装置。
【請求項２】
前記飼育槽は、飼育領域と背面領域に区切り、かつ、前記飼育槽の前記底面との間に間隙を設けて配置される背面遮蔽板を備え、前記背面領域に配置される水流ポンプと、を備える請求項１記載の飼育装置。
【請求項３】
前記飼育槽は、水面下に位置する下噴出部、及び、前記した噴出部と異なる形状の水面上に位置する上噴出部を有し、微細泡沫を生成するノズルと、を備える請求項１記載の飼育装置。
【請求項４】
飼育槽内に好気環境を形成し、対流槽内に嫌気性の淀みを形成し、前記飼育槽と、前記対流槽間において環境経路形成部材を有して懸濁液を浄化させる飼育方法であって、
前記循環経路形成部材は、前記飼育槽から前記対流槽へ前記懸濁液を送水させるための排水配管、前記対流槽から前記飼育槽へ前記懸濁液を送水させるための取水配管、前記取水配管に接続され前記懸濁液を前記対流槽から前記飼育槽へ戻すための対流槽側ポンプ、を備えており、
前記排水配管の排水放出口と前記対流槽側ポンプを前記対流槽内において離れた位置に配置し、前記排出放出口と前記対流槽側ポンプを結ぶ直線から少し外れた底面近傍の位置に前記嫌気性の淀みを形成し、
前記嫌気性の淀みに光のスペクトルにおけるピークが６００ｎｍ以上８００ｎｍ以下の光を照射する飼育方法。